(57)【要約】【課題】作業コストの低減および工期の短縮を図ることができる高所作業用ステージの構築方法を提供する。【解決手段】塔状構造物１の外部に作業用ステージ１０を構築する高所作業用ステージ１０の構築方法であって、ステージ構築用の資材を昇降装置２で構造物内部３に揚重し、揚重した資材を用いて作業用ステージ１０を支えるための架台１２を構築し、架台１２の上で作業用ステージ１０を組み立て、構造物外部へ向けて押し出し、作業用ステージ１０の隙間１４を塞ぐようにする。【選択図】図１
2011106114.tif 000002
【特許請求の範囲】
【請求項１】
塔状構造物の外部に作業用ステージを構築する高所作業用ステージの構築方法であって、
ステージ構築用の資材を昇降装置で前記構造物内部に揚重し、
揚重した前記資材を用いて前記作業用ステージを支えるための架台を構築し、
前記架台の上で前記作業用ステージを組み立て、前記構造物外部へ向けて押し出し、
前記作業用ステージの隙間を塞ぐ手順からなることを特徴とする高所作業用ステージの構築方法。
【請求項２】
塔状構造物の外部に作業用ステージを構築する高所作業用ステージの構築方法であって、
地上で前記作業用ステージを組み立ててユニット化し、
ユニット化した前記作業用ステージを前記構造物のステージ構築予定位置の直下に配置し、
前記構造物のステージ構築予定位置の近傍に設けた巻き上げ装置で前記作業用ステージを吊り上げ、前記作業用ステージをステージ構築予定位置に固定する手順からなることを特徴とする高所作業用ステージの構築方法。
【発明の詳細な説明】
【技術分野】
【０００１】
本発明は、展望塔改修工事などの高所作業用の足場として用いる高所作業用ステージの構築方法に関するものである。
【背景技術】
【０００２】
従来、展望塔などの塔状構造物を改修する際に、展望室外周に作業足場を構築する方法として、展望室内から足場部材を外方に向けて張り出し、徐々に拡張してステージを構築する方法と、地上で組んだ足場ユニットをクレーンで吊り込み、展望室外周に取り付ける方法とが知られている。
【０００３】
一方、展望塔などの塔状構造物の改修作業に用いる作業足場として、塔状構造物用作業足場が知られている（例えば、特許文献１参照）。この足場は、複数階の作業フロアを有する足場ユニットで構成されており、この足場ユニットを塔状構造物の周囲に複数設け、上昇させて作業を行うものである。
【先行技術文献】
【特許文献】
【０００４】
【特許文献１】特公平７−１１３２７１号公報
【発明の概要】
【発明が解決しようとする課題】
【０００５】
ところで、上記の従来の展望室内から足場部材を外方に張り出し徐々に拡張してステージを構築する方法では、足場部材を外方に拡張する際に屋外の高所作業を伴うため非常に危険な作業となること、大掛かりな落下養生対策が必要となること、ステージの組み立て解体作業に多大な時間や作業コストがかかることなどの問題がある。
【０００６】
また、上記の従来の地上で組んだ足場ユニットをクレーンで吊り込んでステージを構築する方法では、クレーンの組み立て解体作業に多大な時間や作業コストがかかること、作業足場解体時に十分な落下養生対策が必要になるなどの問題がある。
【０００７】
また、上記の従来の特許文献１の塔状構造物用作業足場では、足場ユニットは塔状構造物の側面に沿って上下動することを前提として構成され、各足場ユニットは昇降装置の上に設けられる。このため、この昇降装置の設置および解体作業に時間や作業コストがかかること、大掛かりな落下養生対策が必要になるなどの問題がある。
【０００８】
本発明は、上記に鑑みてなされたものであって、作業コストの低減および工期の短縮を図ることができる高所作業用ステージの構築方法を提供することを目的とする。
【課題を解決するための手段】
【０００９】
上記した課題を解決し、目的を達成するために、本発明の請求項１に係る高所作業用ステージの構築方法は、塔状構造物の外部に作業用ステージを構築する高所作業用ステージの構築方法であって、ステージ構築用の資材を昇降装置で前記構造物内部に揚重し、揚重した前記資材を用いて前記作業用ステージを支えるための架台を構築し、前記架台の上で前記作業用ステージを組み立て、前記構造物外部へ向けて押し出し、前記作業用ステージの隙間を塞ぐ手順からなることを特徴とする。
【００１０】
また、本発明の請求項２に係る高所作業用ステージの構築方法は、塔状構造物の外部に作業用ステージを構築する高所作業用ステージの構築方法であって、地上で前記作業用ステージを組み立ててユニット化し、ユニット化した前記作業用ステージを前記構造物のステージ構築予定位置の直下に配置し、前記構造物のステージ構築予定位置の近傍に設けた巻き上げ装置で前記作業用ステージを吊り上げ、前記作業用ステージをステージ構築予定位置に固定する手順からなることを特徴とする。
【発明の効果】
【００１１】
本発明の請求項１に係る高所作業用ステージの構築方法によれば、塔状構造物の外部に作業用ステージを構築する高所作業用ステージの構築方法であって、ステージ構築用の資材を昇降装置で前記構造物内部に揚重し、揚重した前記資材を用いて前記作業用ステージを支えるための架台を構築し、前記架台の上で前記作業用ステージを組み立て、前記構造物外部へ向けて押し出し、前記作業用ステージの隙間を塞ぐ手順からなるので、構造物内部でステージの組み立て作業を行うことで危険な高所作業を大幅削減することができる。このため、大掛かりな落下養生設備の設置を必要とせず、ステージ構築に係る作業効率を向上させることができる。したがって、作業コストの低減および工期の短縮を図ることができるという効果を奏する。
【００１２】
本発明の請求項２に係る高所作業用ステージの構築方法によれば、塔状構造物の外部に作業用ステージを構築する高所作業用ステージの構築方法であって、地上で前記作業用ステージを組み立ててユニット化し、ユニット化した前記作業用ステージを前記構造物のステージ構築予定位置の直下に配置し、前記構造物のステージ構築予定位置の近傍に設けた巻き上げ装置で前記作業用ステージを吊り上げ、前記作業用ステージをステージ構築予定位置に固定する手順からなるので、地上でステージの組み立て作業を行うことで危険な高所作業を大幅削減することができる。このため、大掛かりな落下養生設備の設置を必要とせず、ステージ構築に係る作業効率を向上させることができる。したがって、作業コストの低減および工期の短縮を図ることができるという効果を奏する。
【図面の簡単な説明】
【００１３】
【図１】図１は、本発明に係る実施例１の高所作業用ステージの構築方法の手順を示す図である。
【図２】図２は、本発明に係る実施例１の高所作業用ステージの構築方法のステップ２を示す展望室の上面図である。
【図３】図３は、本発明に係る実施例１の高所作業用ステージの構築方法のステップ２を示す展望室の上面図である。
【図４】図４は、図３のＢ−Ｂ線に沿った側断面図である。
【図５】図５は、本発明に係る実施例１の高所作業用ステージの構築方法のステップ３を示す展望室の上面図である。
【図６】図６は、図５のＣ−Ｃ線に沿った側断面図である。
【図７】図７は、本発明に係る実施例１の高所作業用ステージの構築方法のステップ４を示す展望室の上面図である。
【図８】図８は、図７のＤ−Ｄ線に沿った断面図である。
【図９】図９は、本発明に係る実施例１の高所作業用ステージによってステージが構築された展望室の側断面図である。
【図１０】図１０は、本発明に係る実施例２の高所作業用ステージの構築方法の手順を示す図である。
【図１１】図１１は、本発明に係る実施例２の高所作業用ステージの側面図である。
【図１２】図１２は、本発明に係る実施例２の高所作業用ステージの上面図である。
【図１３】図１３は、本発明に係る実施例２の高所作業用ステージの構築方法のステップ４を示す側断面図である。
【図１４】図１４は、本発明に係る実施例２の高所作業用ステージの構築方法によってステージが構築された展望室の上面図である。
【図１５】図１５は、本発明に係る実施例２の高所作業用ステージの構築方法に用いる巻き上げ装置の図であり、（ａ）は側面図、（ｂ）は正面図である。
【発明を実施するための形態】
【００１４】
以下に、本発明に係る高所作業用ステージの構築方法の実施の形態（実施例１、実施例２）を図面に基づいて詳細に説明する。なお、この実施の形態によりこの発明が限定されるものではない。
【００１５】
（実施例１）
図１に示すように、本発明の実施例１に係る高所作業用ステージの構築方法は、展望塔などの塔状構造物の改修などに用いる高所作業用ステージを塔状構造物の外部に構築する方法であり、以下のステップ１〜４の手順からなる。
【００１６】
まず、図１（ａ）に示すように、ステージ構築用の資材を展望塔１に備わるエレベータなどの既設の昇降装置２で展望室３内に揚重する（ステップ１）。次に、図１（ｂ）に示すように、この揚重した資材を用いて作業用ステージを支えるための架台１２を展望室３内で構築する（ステップ２）。続いて、図１（ｃ）に示すように、架台１２の上で作業用ステージ１０を組み立て、展望室３の外へ向けて押し出す（ステップ３）。最後に、図１（ｄ）の上面図（図１（ｃ）のＡ−Ａ線に沿う図）に示すように、作業用ステージ１０同士の隙間１４を塞ぐ（ステップ４）。
【００１７】
本実施例１のステップ２において、架台１２は、仮設梁１２ａと放射梁１２ｂとにより構築する。この場合、図２に示すように、展望室３内の床上４に仮設梁１２ａを構築した後で、図３に示すように、この仮設梁１２ａ上に放射梁１２ｂを構築する。
【００１８】
仮設梁１２ａは、図２に示すように、長尺状のＣ型鋼などの鋼材で構成され、展望室３内の床上４に、ステージ１０の押し出し方向と略直交する方向に延在するように間隔を空けて２本固定される。この仮設梁１２ａは、１基のステージ１０に対応して１組設けられるものであり、本実施例１では複数組の仮設梁１２ａが展望室３の平面中心に対向する位置に配置される。仮設梁１２ａは、ステージ１０を支持する仮設の梁として機能するものであり、展望室３の床強度が弱い場合などに有効である。
【００１９】
放射梁１２ｂは、図３に示すように、長尺状のＣ型鋼などの鋼材で構成され、仮設梁１２ａの上面に、ステージの押し出し方向（放射方向）に延在するように互いに間隔を空けて２本固定される。放射梁１２ｂは、ステージを押し出すときのガイドとして機能すると同時にステージの反力受けとして機能する。この放射梁１２ｂは、図３および図４に示すように、展望室３の外周の手摺５下近傍の床部材６上に設けた第１支持部材１６にボルト１６ａで固定される。
【００２０】
本実施例１のステップ３において、図５に示すように、ステージ１０は、放射梁１２ｂの延在方向と略平行に配置される２本の縦部材１８と、縦部材１８の外方端同士を接続する横部材２０と、縦部材１８の内方端同士を接続する第２支持部材２２とで構成される四角枠の構造となっている。この四角枠内には作業員の搭乗が可能なパネル材２５が設けられる。縦部材１８の延在方向略中央同士を繋ぐ中間材２４を設けることもできる。縦部材１８、横部材２０および中間材２４はＨ型鋼などの鋼材で構成され、第２支持部材２２はＣ型鋼などの鋼材で構成される。
【００２１】
ステージ１０は、第１支持部材１６および第２支持部材２２により支持される。より具体的には、縦部材１８の下面は、第１支持部材１６の上面に当接しており、ステージ１０の重量は第１支持部材１６に作用する。一方、第２支持部材２２は、２本の放射梁１２ｂの上を跨ぐように配置され、２本の放射梁１２ｂの上面に設けた複数のボルト孔２６ｂのいずれかにボルト２６ａで固定してある。縦部材１８の内方端の上面が第２支持部材２２の下面に当接することで、ステージ１０は第２支持部材２２に支持される。
【００２２】
ところで、一般に展望室３の外周には手摺５が設けられる。床上４に設けたステージ１０を手摺５の下を通して室内から外方にスライドさせるには、手摺５と床面との間の高さ制限を受けることになる。この場合、図６に示すように、架台１２とステージ１０の上面の高さ位置を同じにすることで、こうした高さ制限がある場合に対応することができる。
【００２３】
本実施例１のステップ４において、図７に示すように、隙間１４を塞ぐ場合には、隣り合うステージ１０の横部材２０の端部間や中間材２４の端部間を繋ぐ接続部材２８を配置し、接続部材２８と縦部材１８により囲まれるハッチング部分にパネル材３０を配置し、ステージ１０間の隙間１４を塞ぐ。ステージ１０間に生じる隙間１４は、できるだけ小さいほうが好ましく、このためには、ステップ３においてステージ１０の横幅Ｂをできるだけ広くとるようにする。このようにすることで、屋外の高所作業を減らすことができる。
【００２４】
接続部材２８は、Ｈ型鋼などの鋼材で構成することができ、横部材２０の端部に接続する場合には、図８に示すように、横部材２０の端部の角度に合わせて工場等で予め端部を切断加工しておく。さらに、この接続部材２８の上フランジ２８ａにカバープレート３２を溶接しておき、この接続部材２８を横部材２０の上方から入れて端部同士を突き合わせ、カバープレート３２を横部材２０の上フランジ２０ａにボルトで固定する。接続部材２８を中間材２４の端部に接続する場合も同様である。
【００２５】
以上のステップ１〜４の手順により、図９の側断面図に示すような片持ち式の高所作業用ステージを構築することができる。
【００２６】
次に、本実施例１の高所作業用ステージ１０の構築方法の効果について説明する。
本実施例１の作業コストに対する効果を試算すると、従来の足場部材を外方に拡張する際に屋外の高所作業を伴う方法であれば４５人工の高所作業時間を要するところ、本発明の実施例１によれば８人工の作業時間となり、高所作業時間を約８０％削減することができるという試算結果を得た。このように、本発明の実施例１によれば、室内作業を増やすことで、危険な高所作業を大幅削減することができる。
【００２７】
また、ステージ１０の組立総工数については、従来の足場部材を外方に拡張する際に屋外の高所作業を伴う方法であれば６０人工を要するのに対し、本発明の実施例１によれば５６人工で足り、ステージ構築に伴う作業効率を改善することができるという試算結果を得た。
【００２８】
特に、展望塔のような塔状構造物の上部では毎秒８〜１０mといった強風が常時吹いていると考えられ、従来の足場部材を外方に拡張する際に屋外の高所作業を伴う方法であれば強風によって高所作業の中断を余儀なくされ、作業効率が低下して工程遅延を招くことが想定される。これに対し、本発明の実施例１によれば、展望室内での作業が中心となり、強風などの天候の影響は受けにくくなるので、工程遅延を招くことを回避することもできる。
【００２９】
また、従来のタワークレーンを使用して足場ユニットを吊り上げる方法によれば、強風による作業中断やタワークレーンの組立解体等の作業によって工程遅延のおそれがある。これに対し、本発明の実施例１によれば、展望室内で行う作業を増やすことによって危険な高所作業が大幅削減され、作業効率が向上し、タワークレーンを使用しないので、工程遅延を招くことを回避することができる。
【００３０】
（実施例２）
次に、本発明の実施例２の高所作業用ステージの構築方法について図面を参照しながら説明する。
【００３１】
図１０に示すように、本発明の実施例２に係る高所作業用ステージの構築方法は、展望塔などの塔状構造物の改修などに用いる高所作業用ステージを塔状構造物の外部に構築する方法であり、以下のステップ１〜４の手順からなる。
【００３２】
まず、図１０（ａ）に示すように、地上で作業用ステージ１００を地組みしてユニット化する（ステップ１）。次に、図１０（ｂ）に示すように、ユニット化した作業用ステージ１００を展望塔１のステージ構築予定位置の直下に仮置きする（ステップ２）。続いて、図１０（ｃ）および（ｄ）に示すように、展望塔１のステージ構築予定位置の近傍に設けた巻き上げ装置３４で作業用ステージ１００を吊り上げる（ステップ３）。最後に、図１０（ｅ）に示すように、作業用ステージ１００を矢印の向きに回転し、ステージ構築予定位置に固定する（ステップ４）。
【００３３】
図１１は、本実施例２のステップ１において、地上で地組みしてユニット化された作業用ステージの側面図であり、図１２は、このステージの上面図である。
【００３４】
図１１および図１２に示すように、ユニット化された作業用ステージ１００は、上方へ向かうに従って拡開する上下二対の側部材３６と、これら側部材３６間を繋ぐ複数の連結部材３８と、側部材３６の側部に階段状に設けられた外枠部材４０と、各部材間の隙間を塞ぎ、作業員の搭乗が可能なパネル板４２とで構成され、階段状の構造をしている。これにより、ステージ１００は、下段足場と、中段足場と、上段足場と、最上段足場の４段の足場を有するようになっている。また、図１１に示すように、このステージ１００には作業員の移動に便利なようにステップ４４とタラップ４６が設けてある。側部材３６、連結部材３８および外枠部材４０は、Ｃ型鋼やＬ型鋼などの鋼材で構成することができる。こうしてユニット化されたステージ１００の総重量は、例えば８００ｋｇ程度とすることができる。
【００３５】
本実施例２のステップ４において、ステージ１００を展望室３の外部に固定する場合には、図１３に示すように、ステージ１００に設けたシャックル４８にワイヤー５０を連結し、このワイヤー５０を巻き上げ装置３４で揚重する。そして、設置予定位置近くまで揚げたら巻き上げ装置３４を停止し、ステージ１００を図中矢印の向きに回転させ、ステージ１００の下端を展望室３の外周部に固定する。ここで、ステージ１００を回転する場合は、ステージ１００の下部に予めワイヤー５２を仕込んでおき、展望塔１から図示しないレバーでワイヤー５２を引き寄せることにより行うことができる。
【００３６】
以上のステップ１〜４の手順により、図１４の上面図に示すような高所作業用ステージ１００を構築することができる。なお、隣合うステージ１００間は、各ステージ１００の側部材３６の下端に設けた連結金物５４で連結することができる。
【００３７】
巻き上げ装置３４は、図１５に示すように、架台５６の天井のシャックル５８にワイヤー６０で繋がれた簡易電動ウィンチ６２を備えたものであり、総重量が５０ｋｇ程度の装置である。簡易電動ウィンチ６２は、ステージ１００の重量に対応した揚重能力であればよく、例えば、ステージ１００の重量が８００ｋｇ程度の場合には揚重能力１０００ｋｇ程度のものを用いることができる。巻き上げ装置３４は、図１３に示すように、上記の実施例１で説明したステージ１０の上部に配置することができる。ステージ１０の外端には安全確保のため手摺６４を設けてもよい。
【００３８】
次に、本実施例２の高所作業用ステージ１００の構築方法の効果について説明する。
本実施例２の作業コストに対する効果を試算すると、従来の地上で組み立てたユニットをクレーンで吊り込む方法であれば１７５人工の高所作業時間を要するところ、本発明の実施例２によれば３０人工の作業時間となり、高所作業時間を約８０％削減することができるという試算結果を得た。このように、本発明の実施例２によれば、地上作業を増やすことで危険な高所作業を大幅削減することができる。
【００３９】
また、ステージ１００の組立総工数については、従来の地上で組み立てたユニットをクレーンで吊り込む方法であれば１７５人工を要するのに対し、本発明の実施例２によれば１３２人工で足り、ステージ１００の組立総工数を約２５％削減することができ、ステージ構築に伴う作業効率を改善することができるという試算結果を得た。
【００４０】
さらに、本実施例２のようにステージをユニット化することにより、ステージ１００を展望塔１へ短期間で固定することができ、展望塔１に備わるエレベータなどの設備を休止させることもない。
【産業上の利用可能性】
【００４１】
以上のように、本発明に係る高所作業用ステージの構築方法は、展望塔や橋脚などの塔状構造物の改修等の高所作業の足場の構築方法に有用であり、特に、高所作業用の足場の構築に係る作業コストの低減と工期を短縮したい場合に適している。
【符号の説明】
【００４２】
１  展望塔（塔状構造物）
２  昇降装置
３  展望室
４  床上
５  手摺
６  床部材
１０，１００  高所作業用ステージ
１２  架台
１２ａ  仮設梁
１２ｂ  放射梁
１４  隙間
１６  第１支持部材
１６ａ  ボルト
１８  縦部材
２０  横部材
２０ａ  上フランジ
２２  第２支持部材
２４  中間材
２６ａ  ボルト
２６ｂ  ボルト孔
２８  接続部材
２８ａ  上フランジ
３０  パネル材
３２  カバープレート
３４  巻き上げ装置
３６  側部材
３８  連結部材
４０  外枠部材
４２  パネル板
４４  ステップ
４６  タラップ
４８，５８  シャックル
５０，５２，６０  ワイヤー
５４  連結金物
５６  架台
６２  簡易電動ウィンチ
６４  手摺
【図１】
2011106114.tif 000003
【図２】
2011106114.tif 000004
【図３】
2011106114.tif 000005
【図４】
2011106114.tif 000006
【図５】
2011106114.tif 000007
【図６】
2011106114.tif 000008
【図７】
2011106114.tif 000009
【図８】
2011106114.tif 000010
【図９】
2011106114.tif 000011
【図１０】
2011106114.tif 000012
【図１１】
2011106114.tif 000013
【図１２】
2011106114.tif 000014
【図１３】
2011106114.tif 000015
【図１４】
2011106114.tif 000016
【図１５】
2011106114.tif 000017